(57)【要約】【課題】  サムターン回しを防止するサムターン装置の提供。【解決手段】  錠ケース２に保持されるサムターン胴８５と、このサムターン胴８５の穴８６に差し込まれて、回転操作によりデッドボルト３を進退させるサムターン軸１２と、サムターン軸１２に相対回転可能に設けられるツマミホルダー３５と、ツマミホルダー３５内に収容されてサムターン軸１２と係脱可能とされるツマミ６０とを備える。ツマミ６０には突部７０が形成されており、サムターン軸１２には凹溝１８が形成されており、ツマミ６０をサムターン軸１２の径方向内側へ押し込むと共に、軸方向先端側へ押し込むことでツマミ６０とサムターン軸１２とは係合し、施解錠可能となる。【選択図】      図１
2006152773.tif 000002
【特許請求の範囲】
【請求項１】
回転動作によりデッドボルトを進退させるサムターン軸と、
このサムターン軸に係脱可能とされ、サムターン軸と係合してサムターン軸を回転させるツマミとを備え、
前記ツマミは、前記サムターン軸との係合を解除するようにサムターン軸の基端側へ付勢されると共に、サムターン軸の径方向外側へ付勢されており、
これらの付勢力に対抗して前記ツマミを前記サムターン軸に対し径方向内側へ押し込むと共に、軸方向先端側へ押し込むことで、ツマミがサムターン軸と係合する
ことを特徴とするサムターン装置。
【請求項２】
前記サムターン軸の基端部に設けられる中空のツマミホルダーの内部に、前記ツマミがサムターン軸の径方向および軸方向に移動可能に設けられており、
前記ツマミホルダーに形成された開口部からツマミが露出しており、
この露出部をサムターン軸の径方向内側へ押し込んだ状態で、ツマミはツマミホルダーに対してサムターン軸の軸方向先端側へ移動可能とされ、ツマミの先端部がサムターン軸に係合可能とされた
ことを特徴とする請求項１に記載のサムターン装置。
【請求項３】
前記ツマミホルダーは、サムターン軸に対して相対回転可能とされると共に、前記ツマミと一体回転可能とされ、
前記ツマミホルダーは、周方向位置決め手段によりサムターン軸に対する周方向の位置決めがなされ、この周方向位置にてツマミの先端部がサムターン軸と係合可能とされる
ことを特徴とする請求項２に記載のサムターン装置。
【請求項４】
前記ツマミホルダーは、サムターン軸に対して相対回転可能とされると共に、前記ツマミと一体回転可能とされ、
前記サムターン軸または前記ツマミホルダーの少なくとも一方に磁石が設けられており、
前記磁石の磁着力によりツマミホルダーのサムターン軸に対する周方向の位置決めがなされ、この周方向位置にてツマミの先端部がサムターン軸と係合可能とされる
ことを特徴とする請求項３に記載のサムターン装置。
【請求項５】
前記サムターン軸または前記ツマミホルダーの一方に、他方側へ付勢されたピン部材が設けられ、
このピン部材がサムターン軸またはツマミホルダーの他方に設けられた凹部に係合することで、ツマミホルダーのサムターン軸に対する周方向の位置決めがなされ、
ツマミホルダーがサムターン軸に対して相対回転する際、ピン部材が付勢力に対抗して凹部を乗り上げる
ことを特徴とする請求項３に記載のサムターン装置。
【請求項６】
前記ツマミは、一対のツマミピースからなり、
各ツマミピースは、サムターン軸の径方向両端部に、互いに離隔するよう付勢された状態で設けられており、
各ツマミピースは、互いに近接する方向に押し込むことで、ツマミホルダーに対しサムターン軸の軸方向先端側への押し込みが可能とされ、その押し込みによりツマミピースの先端部に形成された係合部がサムターン軸の被係合部と係合される
ことを特徴とする請求項３から請求項５までのいずれかに記載のサムターン装置。
【発明の詳細な説明】
【技術分野】
【０００１】
本発明は、不正な解錠を防止できる扉錠のサムターン装置に関するものである。
【背景技術】
【０００２】
一戸建てやマンション等の玄関扉の不正解錠行為の一つとして、いわゆるサムターン回しが知られている。これは、扉と扉枠との隙間（いわゆるチリ）や、扉にあけた穴に針金や紐等を挿入し、この不正解錠手段で室内側に取り付けてあるサムターン装置のツマミを解錠方向に回転させ、デッドボルトを後退して不正解錠するものである。
【発明の開示】
【発明が解決しようとする課題】
【０００３】
本発明は、上記事情に鑑みてなされたものであり、その主たる目的は、いわゆるサムターン回しを有効に防止するサムターン装置を提供することにある。
【課題を解決するための手段】
【０００４】
上記目的を達成するために、本発明のサムターン装置は、回転動作によりデッドボルトを進退させるサムターン軸と、このサムターン軸に係脱可能とされ、サムターン軸と係合してサムターン軸を回転させるツマミとを備え、前記ツマミは、前記サムターン軸との係合を解除するようにサムターン軸の基端側へ付勢されると共に、サムターン軸の径方向外側へ付勢されており、これらの付勢力に対抗して前記ツマミを前記サムターン軸に対し径方向内側へ押し込むと共に、軸方向先端側へ押し込むことで、ツマミがサムターン軸と係合することを特徴とする。
【０００５】
また、好ましくは上記構成に加えて、前記サムターン軸の基端部に設けられる中空のツマミホルダーの内部に、前記ツマミがサムターン軸の径方向および軸方向に移動可能に設けられており、前記ツマミホルダーに形成された開口部からツマミが露出しており、この露出部をサムターン軸の径方向内側へ押し込んだ状態で、ツマミはツマミホルダーに対してサムターン軸の軸方向先端側へ移動可能とされ、ツマミの先端部がサムターン軸に係合可能とされたことを特徴とするサムターン装置である。
【０００６】
また、好ましくは上記構成に加えて、前記ツマミホルダーは、サムターン軸に対して相対回転可能とされると共に、前記ツマミと一体回転可能とされ、前記ツマミホルダーは、周方向位置決め手段によりサムターン軸に対する周方向の位置決めがなされ、この周方向位置にてツマミの先端部がサムターン軸と係合可能とされることを特徴とするサムターン装置である。
【０００７】
また、好ましくは上記構成に加えて、前記ツマミホルダーは、サムターン軸に対して相対回転可能とされると共に、前記ツマミと一体回転可能とされ、前記サムターン軸または前記ツマミホルダーの少なくとも一方に磁石が設けられており、前記磁石の磁着力によりツマミホルダーのサムターン軸に対する周方向の位置決めがなされ、この周方向位置にてツマミの先端部がサムターン軸と係合可能とされることを特徴とするサムターン装置である。
【０００８】
また、好ましくは上記構成に加えて、前記サムターン軸または前記ツマミホルダーの一方に、他方側へ付勢されたピン部材が設けられ、このピン部材がサムターン軸またはツマミホルダーの他方に設けられた凹部に係合することで、ツマミホルダーのサムターン軸に対する周方向の位置決めがなされ、ツマミホルダーがサムターン軸に対して相対回転する際、ピン部材が付勢力に対抗して凹部を乗り上げることを特徴とするサムターン装置である。
【０００９】
さらに好ましくは上記構成に加えて、前記ツマミは、一対のツマミピースからなり、各ツマミピースは、サムターン軸の径方向両端部に、互いに離隔するよう付勢された状態で設けられており、各ツマミピースは、互いに近接する方向に押し込むことで、ツマミホルダーに対しサムターン軸の軸方向先端側への押し込みが可能とされ、その押し込みによりツマミピースの先端部に形成された係合部がサムターン軸の被係合部と係合されることを特徴とするサムターン装置である。
【発明の効果】
【００１０】
本発明のサムターン装置によれば、ツマミを回転させて解錠するためには、ツマミをサムターン軸の径方向内側へ押し込み、かつ軸方向先端側へ押し込む必要がある。これにより、針金や紐等による不正解錠を有効に防止することができる。
【発明を実施するための最良の形態】
【００１１】
以下、本発明のサムターン装置について、実施例に基づき更に詳細に説明する。
【００１２】
図１は、本実施例のサムターン装置を備えた扉錠の縦断面図であり、扉の厚さ方向に沿う面で切断した状態を示している。また、図２は、本実施例のサムターン装置を備えた扉錠が扉に取り付けられた状態を示す斜視図である。
【００１３】
本実施例のサムターン装置１０が適用された扉錠１は、錠ケース２を備える。この錠ケース２は、扉１００の戸先側端部の上下方向略中央部に取り付けられ、扉１００を施解錠するデッドボルト３が設けられている。デッドボルト３は、錠ケース２の戸先側端面から出没可能とされており、そのデッドボルト３を出没させるための出没操作機構４（図１）が錠ケース２に内蔵されている。
【００１４】
図１に示すように、デッドボルト３の出没、つまり前進または後退は、錠ケース２に連結するように取り付けられる室内側のサムターン装置１０のツマミ６０とこれと一体回転するツマミホルダー３５、または室外側のシリンダー錠９８の鍵（不図示）の操作により行われる。
【００１５】
なお、図１および図２に示す扉錠１は、本発明のサムターン装置１０が適用される一例としての彫込本締錠であるが、本発明のサムターン装置は、ケースロックや面付錠あるいは電気錠など、その他のあらゆる公知の錠にも適用可能である。また、扉錠の施解錠機構は、本実施例のようにデッドボルトを出没作動させるものに限らず、サムターンやシリンダーの操作によって、レバーハンドルやノブなどの回転を制御して、施解錠するようにした公知の扉錠にも適用できる。
【００１６】
図３は、本実施例のサムターン装置の主要部を示す正面図である。
図４は、図３の一部断面図であり、（ａ）は縦断面図、（ｂ）は横断面図、（ｃ）は（ａ）のＡ−Ａ断面図、（ｄ）は（ａ）のＢ―Ｂ断面図である。
本実施例のサムターン装置１０は、前記錠ケース２に保持されるサムターン胴８５と、このサムターン胴８５の穴８６に差し込まれて、回転操作によりデッドボルト３を進退させるサムターン軸１２と、サムターン軸１２に相対回転可能に設けられるツマミホルダー３５と、ツマミホルダー３５内に収容されてサムターン軸１２と係脱可能とされるツマミ６０とを主要部に備える。
【００１７】
図５は、サムターン軸１２を示す部品図であり（ａ）は一部を断面にした正面図、（ｂ）は平面図、（ｃ）は左側面図、（ｄ）は右側端面図、（ｅ）は（ｂ）のＣ−Ｃ断面図である。
サムターン軸１２は、丸棒状であり、その基端部には径方向外側へ拡径してフランジ１４が形成されている。また、このフランジ１４の中央から基端側へ突出して円柱形状の取付部１５が形成されている。この取付部１５には、基端面に開口してネジ穴１６が形成されている。
【００１８】
サムターン軸１２の基端部には、後述するツマミ６０の係合部７０と係合可能な被係合部１８が形成されている。本実施例では、フランジ１４の基端面の直径方向に沿った両端部に、基端側へ開口するコ字状の凹溝１８，１８が形成されている。すなわち、フランジ１４の基端面には、中心を挟んだ対称位置に、凹溝１８，１８がそれぞれ径方向に沿って形成されており、これらの凹溝１８，１８が被係合部とされる。
【００１９】
サムターン軸１２のフランジ１４より少し先端側には、磁石２０，２１がはめ込まれる取付穴１２ａが形成されている。本実施例では、周方向等間隔４箇所に取付穴１２ａが形成されており、図４（ｄ）に示すように、各穴１２ａに磁石２０，２０，２１，２１がはめ込まれて固定される。
【００２０】
各磁石２０，２０，２１，２１は、それぞれＮ極またはＳ極をサムターン軸１２の径方向外側へ向けて配置される。本実施例では、図４（ｄ）において上下に配置される磁石２０，２０は、Ｎ極を径方向外側へ向けて設けられ、左右に配置される磁石２１，２１は、Ｓ極を径方向外側へ向けて設けられる。すなわち、周方向に隣り合う磁石２０，２１が、異なる磁極を外側へ向けて配置される。
【００２１】
サムターン軸１２の先端部２２は断面十字状に形成されており、この十字状の先端部が、錠ケース２に内蔵された出没操作機構４に接続される。従って、サムターン軸１２に連結されるツマミ６０を回すと、サムターン軸１２の先端部２２が出没操作機構４を介してデッドボルト３を進退させることができる。また、サムターン軸１２には、取付穴１２ａより先端側位置に、リング９０がはめ込まれるリング取付溝２３が周方向に形成されている。
【００２２】
サムターン軸１２に形成された前記取付部１５のネジ穴１６には、図４に示すように、基端側から軸方向に沿ってネジ２５が取り付けられる。
このネジ２５は、円板状の頭部２６から先端側へ向けて段付き円柱状の軸部２７が形成されており、基端側軸部２８は前記取付部１５より若干小径とされ、この基端側軸部２８より小径な先端側軸部２９にはネジ山が形成されている。
【００２３】
ネジ２５は、軸部２７にバネ受け３０およびコイルバネ３２が通された状態で、先端側軸部２９が前記サムターン軸１２の取付部１５にねじ込まれる。バネ受け３０は、先端側へ開口した筒形状であり、その内径はコイルバネ３２の外径よりやや大径である。そして、バネ受け３０は、サムターン軸１２の軸方向に沿って移動可能にネジ２５に設けられる。コイルバネ３２は、その基端部がバネ受け３０に収容されてバネ受け３０の底壁３０ａに当接する一方、先端部が、前記取付部１５の基端面に当接しており、バネ受け３０を基端側へ付勢している。
【００２４】
サムターン軸１２には、ツマミホルダー３５が相対回転可能に設けられる。本実施例のツマミホルダー３５は、ホルダーガイド３６とホルダー本体４０とから構成されている。
図６は、ホルダーガイドを示す部品図であり、（ａ）は正面図、（ｂ）は平面図、（ｃ）は左側面図、（ｄ）は（ｃ）のＤ―Ｄ断面図である。
【００２５】
ホルダーガイド３６は、サムターン軸１２に差し込み可能な略円筒形状であり、その先端部には径方向外側へ拡径してツバ３７が形成されている。また、ホルダーガイド３６は、その径方向両端部に、略矩形状の保持部３８，３８がそれぞれ径方向外側へ突出して形成されている。すなわち、ホルダーガイド３６には、中心を挟んだ対称位置に保持部３８，３８がそれぞれ形成されている。
【００２６】
この各保持部３８には、径方向に沿って穴３８ａが形成されており、磁石３９，３９がそれぞれはめ込まれて固定されている。本実施例では、図４（ｄ）に示すように、径方向外側に開口した穴３８ａ，３８ａに、径方向内側へＳ極を向けて磁石３９，３９がそれぞれ設けられている。
【００２７】
ホルダーガイド３６は、サムターン軸１２の先端側から差し込まれて、サムターン軸１２のフランジ１４に隣接するように配置され、サムターン軸１２の磁石２０，２０，２１，２１とホルダーガイド３６の磁石３９，３９は、同一平面上に配置される。
【００２８】
ホルダー本体４０は、ホルダーガイド３６と一体回転可能にサムターン軸１２の基端部に設けられる。本実施例のホルダー本体４０は、サムターン軸１２の軸方向に沿って、基端側が、図４（ａ）の正面視状態で半円形状、および図４（ｂ）の平面視状態で略長方形状に形成されている。また、先端側は、図４（ａ）の右側面視状態で円の径方向左右両端部が対称に切り欠かれた短円柱形状に形成されている。
【００２９】
このホルダー本体４０は、中空に形成されている。本実施例では、この中空部は、基端側が直方体形状の中空部４２に形成され、この基端側中空部４２に連続して先端側に、幅方向内側への段部４６を介して直方体形状の中空部４４が形成されている。なお、先端側中空部４４は、先端側へ開口していると共に、その先端側の側面中央４７は幅方向外側へそれぞれ曲率中心が同一の略半円弧状に膨出して形成されている（図４（ｄ）参照）。すなわち、ホルダー本体４０の先端面は、ホルダーガイド３６と同形状に開口している。
【００３０】
また、ホルダー本体４０の基端部中央には、円形の穴４８が軸方向に貫通して形成されている。この穴４８の径は、前記取付部１５に取り付けられるネジ２５の基端側軸部２８の外径に対応している。さらに、ホルダー本体４０の両側面には、内外を連通する略矩形状の穴４９，４９が形成されている。本実施例では、各穴４９，４９は、図４（ｃ）において示すように、上下にずれて形成されている。
【００３１】
ところで、本実施例のホルダー本体４０の基端部には、その幅方向中央部に凹溝５０が周方向に沿って形成されている。そして、この凹溝５０には、略半円弧形のカバー５２が装着される。このカバー５２には、蓄光材が塗布されており、夜間など暗闇でも識別できて回転操作をし易くしている。
【００３２】
ホルダー本体４０は、その先端側中空部４４にサムターン軸１２のフランジ１４およびホルダーガイド３６を収容した状態で、サムターン軸１２の基端部にサムターン軸１２に対して相対回転可能に設けられる。この際、ホルダーガイド３６は、ホルダー本体４０と一体回転するようホルダー本体４０の先端側中空部４４に収容される。
また、前記サムターン軸１２の取付部１５およびこの取付部１５に設けられたネジ２５は、ホルダー本体４０内に配置されており、ネジ２５の頭部２６はホルダー本体４０の基端面４０ａとカバー５２との間に配置される。これにより、ホルダー本体４０はサムターン軸１２に対する軸方向の位置決めがなされ、軸方向の移動が規制される。
【００３３】
ところで、本実施例のホルダー本体４０は、幅方向に二つ割り可能とされており、一対のホルダーピース５４，５４から構成されている。
図７は、ホルダーピースを示す斜視図である。
【００３４】
この一対のホルダーピース５４，５４は、断面略コ字形状であり、その各開放両端部同士を重ね合わせるように突き合せて中空状のホルダー本体４０を構成する。各ホルダーピース５４，５４は、図４（ｃ）に示すように、上下にネジ１０２，１０２がねじ込まれて固定される。ホルダーピース５４の裏面側基端部中央には、各ホルダーピース５４，５４が一体化された際に前記穴４８を構成する半円弧形状の切欠き４８ａが形成されている。
【００３５】
また、基端側裏面４２ａは、先端側裏面４４ａより表面側へ凹んで形成されている。また、先端側裏面４４ａには、その幅方向中央先端部４７が半円弧状に凹んで形成されている。これにより、各ホルダーピース５４，５４が一体化された際に、基端側裏面４２ａが前記基端側中空部４２を構成し、先端側裏面４４ａが前記先端側中空部４４を構成する。そして、基端側裏面４２ａと先端側裏面４４ａとの境界には、前記段部４６が形成される。
さらに、ホルダーピース５４の基端部には、図７において、左上に前記略矩形状の穴４９が形成されている。そして、一体化されたホルダーピース５４，５４の外周部には、凹溝５０が形成される。
【００３６】
この中空のホルダー本体４０内に、ツマミ６０が収容される。本実施例のツマミ６０は、サムターン軸１２に対して径方向に移動可能とされると共に、軸方向にも移動可能とされる。
本実施例のツマミ６０は、一対のツマミピース６１，６１からなり、各ツマミピース６１は、前記取付部１５およびこの取付部１５に設けられたネジ２５を挟みこむように、すなわち径方向両側に対面するよう配置される（図４（ｃ）参照）。
【００３７】
図８は、ツマミピースを示す部品図であり、（ａ）は正面図、（ｂ）は平面図、（ｃ）は左側面図、（ｄ）は右側面図、（ｅ）は背面図、（ｆ）は（ａ）のＥ―Ｅ断面図、（ｇ）は（ａ）のＦ―Ｆ断面図である。図８に示すように、ツマミピース６１は板状とされ、その裏面側外周部には、周壁６３が立ち上げられて形成されている。また、図８（ｂ）に示すように、ツマミピース６１の表面側左下には、厚さ方向に突出して略矩形状のボタン部６５が形成されている。このボタン部６５は、ホルダー本体４０に形成された前記穴４９から突出可能な大きさとされる一方、サムターン軸１２の軸方向寸法（図８（ａ）および図４（ｂ）において左右方向寸法）がホルダー本体４０の穴４９より小さく形成されている。
【００３８】
また、ツマミピース６１は、図８（ｂ），（ｅ）に示すように、裏面の上端部略中央に、ピン６７が板面に対し垂直に立設されている共に、下端部中央には厚さ方向に貫通して穴６８が形成されている。
【００３９】
さらに、ツマミピース６１の先端部裏面側には、上下に離隔して略矩形状の突部７０，７０が先端側へ突出して形成されており、この突部７０と表面側との境界には段部７２が形成されている。この突部７０は、サムターン軸１２の被係合部１８と係合可能な係合部とされる。具体的には、各ツマミピース６１の突部７０は、サムターン軸１２のフランジ１４に形成された凹溝１８に差し込み可能とされており、各ツマミピース６１の突部７０は、サムターン軸１２の凹溝１８の幅の約半分とされている。つまり、本実施例では、各ツマミピース６１，６１の突部７０，７０同士が隣接した状態でサムターン軸１２の凹溝１８にほぼ適合してはめ込み可能とされる。
【００４０】
周壁６３の基端部中央には、半円形状の切欠き７４が形成されている。この切欠き７４は、前記取付部１５に設けられるネジ２５の基端側軸部２８の径に対応していると共に、バネ受け３０の外径より小径とされる。また、ツマミピース６１の裏面中央には、サムターン軸１２の軸方向に沿って段付きの断面略半円形状の凹溝７６が形成されている。
【００４１】
各ツマミピース６１，６１は、ピン６７にコイルバネ８０が通された状態で、サムターン軸１２を挟み込むようにホルダー本体４０内に収容される。具体的には、各ツマミピース６１，６１は、前記サムターン軸１２の取付部１５およびこの取付部１５に設けられたネジ２５の基端側軸部２８の径方向両端部にそれぞれ配置されて、ホルダー本体４０内に収容される。この際、一方のツマミピース６１のピン６７の先端部は、他方のツマミピース６１の貫通穴６８に差し込まれており、各ツマミピース６１，６１は、コイルバネ８０により互いに離隔する方向へ付勢されている。すなわち、各ツマミピース６１，６１は、サムターン軸１２の径方向外側へそれぞれ付勢されている。
【００４２】
サムターン軸１２の径方向外側へ付勢された各ツマミピース６１，６１の表面は、ホルダー本体４０の基端側中空部４２の内面に当接しており、ツマミピース６１の先端部に形成された前記段部７２は、ホルダー本体４０の前記段部４６に当接している。そして、各ツマミピース６１の突部７０は、サムターン軸１２の凹溝１８より基端側へ配置されると共に、径方向外側位置に配置されており、ツマミピース６１の突部７０とサムターン軸１２の凹溝１８とは係合していない。
【００４３】
また、各ツマミピース６１のボタン部６５は、ホルダー本体４０の穴４９に差し込まれて外方へ突出している。そして、前記取付部１５に設けられたバネ受け３０は、各ツマミピース６１の基端側周壁６３の内面に当接しており、各ツマミピース６１は、サムターン軸１２の基端側へ付勢されている。これにより、ツマミピース６１のボタン部６５は、ホルダー本体４０の穴４９の基端側へ当接されている。
【００４４】
ツマミピース６１のボタン部６５が、ホルダー本体４０の穴４９に差し込まれていることで、ツマミホルダー３５とツマミ６０とは、一体回転する。そして、ツマミ６０とサムターン軸１２とが係合していない状態においては、ツマミホルダー３５とツマミ６０とは、サムターン軸１２に対して回転（空転）自在とされる。
【００４５】
ツマミ６０およびツマミホルダー３５が取り付けられたサムターン軸１２は、錠ケース２に保持されたサムターン胴８５に回転可能に差し込まれて保持され、扉１００の室内側に取り付けられる。サムターン胴８５は、円柱形状であり、その軸心と偏心して段付穴８６が軸方向に沿って貫通して形成されている。このサムターン胴８５には、その基端面を覆うように、先端側へ開口した筒状のカバー８８が装着されている。このカバー８８の基端壁には、サムターン胴８５の段付穴８６に対応した位置に、軸方向に沿って貫通穴８９が形成されている。この貫通穴８９は、サムターン軸１２の外径に対応している。なお、図示例では、この貫通穴８９の周縁は、先端側へ筒状に突出している。
【００４６】
サムターン軸１２は、その先端部がカバー８８およびサムターン胴８５の各穴８９，８６に差し込まれて、リング取付溝２３にリング９０がはめ込まれる。この際、カバー８８の先端面とリング９０との間に筒状のスペーサ９２が配置されており、サムターン軸１２は、その軸方向の移動が規制された状態でサムターン胴８５に回転可能に保持される。
【００４７】
なお、図１に示すように、サムターン胴８５の周囲には、筒状のサムターンカラー９４が設けられる。このサムターンカラー９４は、サムターン胴８５との間に配置されたコイルバネ９５により、扉１００側へ付勢された状態で取り付けられている。サムターンカラー９４は、軸方向に移動可能であるから、コイルバネ９５の伸縮を利用して扉１００の厚さの変化に対応可能とされる。
【００４８】
本実施例のサムターン装置１０は、初期状態（ツマミ６０とサムターン軸１２との非係合状態）において、ツマミ６０およびツマミホルダー３５が、サムターン軸１２に対して磁石２０，２１，３９により自動的に周方向の位置決めがなされるが、サムターン回しなどの不正解錠操作をした場合には空転する。このような本実施例のサムターン装置１０を使用して施解錠する際には、ツマミ６０の先端部に設けられた突部７０をサムターン軸１２の凹溝１８にはめ込んで係合させた状態において、従来のように、ツマミ６０およびツマミホルダー３５を左右いずれかの方向へ例えば９０度回転操作すればよい。
【００４９】
ツマミ６０をサムターン軸１２に係合させるには、まず各ツマミピース６１，６１のボタン部６５を例えば人差し指と親指とで挟んでつかみ、バネ８０の付勢力に対抗してサムターン軸１２の径方向内側へ押し込む。これにより、各ツマミピース６１，６１は、互いに近接する方向へ移動し、各ツマミピース６１，６１の突部７０，７０同士が当接または近接して略立方体形状をなす。そして、この押し込んだ状態で、各ツマミピース６１，６１をツマミホルダー３５に対してサムターン軸１２の先端側へバネ３２の付勢力に対抗して押し込む。上述したように、各ツマミピース６１，６１のボタン部６５は、ツマミホルダー３５の穴４９より軸方向の寸法が小さく、軸方向に沿って移動可能とされている。よって、この軸方向先端側への押し込み操作の際、ツマミピース６１のボタン部６５はツマミホルダー３５の穴４９に沿ってスライドし、ひいてはツマミピース６１がツマミホルダー３５に対して軸方向先端側へ移動する。
【００５０】
そして、この押し込み操作により、ツマミピース６１の突部７０がサムターン軸１２の凹溝１８に差し込まれてツマミ６０とサムターン軸１２とが係合する。この係合状態において、ツマミ６０およびツマミホルダー３５を共に９０度回転操作することでサムターン軸１２も回転し施解錠される。
施解錠操作後は、各ツマミピース６１のボタン部６５から手を放すことで各バネ３２，８０の付勢力により、各ツマミピース６１は、サムターン軸１２の基端側へ移動すると共に、径方向外側へ移動し、初期状態（ツマミ６０とサムターン軸１２との非係合状態）へ自動的に移行する。
【００５１】
本実施例では、上述したように、サムターン軸１２およびツマミホルダー３５に磁石２０，２１，３９がそれぞれ設けられている。これらの磁石２０，２１，３９の磁着力によりツマミホルダー３５は、サムターン軸１２に対する周方向の位置決めが自動的になされ、ひいてはツマミホルダー３５と一体回転可能に設けられたツマミ６０の周方向の位置決めがなされる。この位置決めがなされた状態において、ツマミ６０の突部７０は、サムターン軸１２の凹溝１８と係合可能な位置に配置されている。
【００５２】
施錠状態および解錠状態の両方において、サムターン軸１２に対するツマミ６０の周方向の位置決めが予めなされていることで、ボタン部６５をサムターン軸１２の径方向内側へ押し込んで、ツマミ６０を軸方向先端側へ押し込めば、ツマミ６０の突部７０はサムターン軸１２の凹溝１８に自動的に係合される。つまり、施解錠の際、ツマミ６０とサムターン軸１２とを係合させるために、ツマミ６０を周方向に位置合わせする必要がない。また、誤ってツマミ６０およびツマミホルダー３５をサムターン軸１２に対して空転させてしまった場合でも、磁石２０，２１，３９の磁着力によりツマミ６０およびツマミホルダー３５のサムターン軸１２に対する周方向の位置決めが自動的になされる。
【００５３】
本実施例のサムターン装置１０も、通常のサムターン装置と同様に、ツマミ６０（ツマミホルダー３５）は、解錠時が縦向き状態とされ、施錠時が横向き状態とされる。
すなわち、上述の磁石２０，２１，３９の配置により、ツマミホルダー３５はサムターン軸１２に対して、１８０度に一回周方向の位置決めがなされる。よって、ツマミホルダー３５の長方形状の先端面を、解錠状態では縦向き状態とすると共に、施錠状態では横向き状態となるように取り付けることで、位置決めが自動的になされ、施錠状態か解錠状態であるかを常に正しく視認することが可能となる。
【００５４】
ところで、本実施例のサムターン装置１０は、上述したように、施解錠の際にツマミ６０とサムターン軸１２とを係合させる必要があり、初期状態ではツマミ６０とサムターン軸１２とは係合しておらず、ツマミ６０とツマミホルダー３５は、サムターン軸１２に対して回転自在とされている。従って、この状態において、不正解錠しようと室外側から針金や紐などでツマミ６０およびツマミホルダー３５を回転させても、サムターン軸１２に対してツマミ６０およびツマミホルダー３５は単に空転するだけで、サムターン軸１２を回転させることができず、不正解錠が防止される。
【００５５】
また、本実施例では、上述のように、各ツマミピース６１のボタン部６５が図４（ｃ）においてサムターン軸１２の中心水平線に対して上下にずれている。よって、例えば不正解錠をするために、針金などで各ツマミピース６１のボタン部６５を押し込もうとすると、ツマミ６０およびツマミホルダー３５に回転する力（回転モーメント）がかかり、ツマミ６０およびツマミホルダー３５が回転して、ボタン部６５を押し込むことができない。なお、各ツマミピース６１のボタン部６５が上下にずれておらず、サムターン軸１２の中心水平線上の左右対称位置にあっても、工具等によってボタン部６５を押し込むことはほとんど不可能であり、不正解錠を確実に防止できる。
【００５６】
さらに、本実施例のサムターン装置１０は、初期状態において、ツマミピース６１の段部７２が、ツマミホルダー３５の段部４６に当接している。従って、ボタン部６５をサムターン軸１２の径方向内側へ押し込まずに、ツマミ６０を軸方向先端側へ押し込むことはできない。すなわち、ボタン部６５をサムターン軸１２の径方向内側へ押し込んで、ツマミピース６１の段部７２とツマミホルダー３５の段部４６の当接を解除しない場合、ツマミピース６１はツマミホルダー３５に対して軸方向先端側へ移動することができず解錠できない。
【００５７】
また、仮に、ツマミピース６１とツマミホルダー３５に段部７２，４６が無く、両部材６１，３５が当接していない場合でも、ボタン部６５をサムターン軸１２の径方向内側へ押し込まずに、ツマミ６０を軸方向先端側へ押し込むと、上述したように初期状態においてはツマミピース６１の突部７０は、サムターン軸１２の凹溝１８より径方向外側位置に配置されているので、突部７０が凹溝１８に差し込まれることはない。これにより、ツマミ６０とサムターン軸１２とは係合せず、解錠することができないので不正解錠が防止される。
【００５８】
このように、本実施例のサムターン装置１０によれば、施解錠するためには、ツマミ６０のボタン部６５をサムターン軸１２の径方向内側へ押し込むと共に、軸方向先端側へ押し込む必要がある。これらの押し込み操作を室外側から工具等により行うことは困難であり、不正解錠が防止される。
【００５９】
ところで、上記実施例では、サムターン軸１２に対するツマミホルダー３５の周方向位置決め手段として磁石を使用したが、他の手段としても構わない。例えば、磁石の代わりにピン部材を使用することも可能である。
以下に、その具体的構成を示す。なお、本変形例は、基本的には上記実施例と同様の構成であり、異なる部分を中心に説明する。
【００６０】
図９は、本変形例のサムターン装置の主要部の一部断面図であり、（ａ）は縦断面図、（ｂ）は横断面図、（ｃ）は（ａ）のＧ―Ｇ断面図、（ｄ）は（ａ）のＨ―Ｈ断面図である。
本変形例のサムターン装置は、上記実施例と同様、回転操作によりデッドボルト３を進退させるサムターン軸１２と、サムターン軸１２に相対回転可能に設けられるツマミホルダー３５と、ツマミホルダー３５内に収容されてサムターン軸１２と係脱可能とされるツマミ６０とを主要部として備える。
【００６１】
本変形例のサムターン軸１２には、上記実施例と同様に、フランジ１４、取付部１５および被係合部１８が形成されている。そして、本変形例のサムターン軸１２には、そのフランジ１４より少し先端側に、径方向に貫通して収容穴１０３が形成されている。本変形例の収容穴１０３は、断面円形の丸穴とされる。
【００６２】
この収容穴１０３には、ピン部材１０４がサムターン軸１２の径方向外側へ付勢された状態で配置される。本変形例のピン部材１０４は、略短円柱形状であり、その先端部１０４ａは、円錐状に形成されており、本変形例では収容穴１０３に二つのピン部材１０４，１０４が収容される。
具体的には、二つのピン部材１０４，１０４は、その基端部がそれぞれコイルバネ１０６により付勢されると共に、その先端部１０４ａをそれぞれ径方向外側へ向けた状態で収容穴１０３に設けられる。つまり、一方のピン部材１０４の基端部に、コイルバネ１０６の一端部が接続または当接され、このコイルバネ１０６の他端部が他方のピン部材１０４の基端部に接続または当接された状態で、各ピン部材１０４，１０４はサムターン軸１２の収容穴１０３内に配置される。このように、各ピン部材１０４，１０４は、コイルバネ１０６により相反する方向、すなわちサムターン軸１２の径方向外側へそれぞれ付勢された状態で収容穴１０３内に配置される。
【００６３】
サムターン軸１２に回転可能に設けられるツマミホルダー３５は、上記実施例では、ツマミホルダーガイド３６とホルダー本体４０とから構成されていたが、本変形例では、ホルダー本体４０のみとされ、このホルダー本体４０は、上記実施例と同様、中空に形成されている。本変形例のホルダー本体４０は、基端側中空部４２が、上記実施例と同様に直方体形状とされる一方、先端側中空部４４の形状が上記実施例と異なる。
【００６４】
本変形例では、基端側中空部４２に連続して先端側に、幅方向内側への段部４６を介して先端側へ開口する段付き円筒状の先端側中空部４４が形成されている。この先端側中空部４４のうち基端側の大径円筒部１０８は、サムターン軸１２のフランジ１４の外径に対応しており、先端側の小径円筒部１０９はサムターン軸１２の軸部の外径に対応している。そして、この小径円筒部１０９の径方向両端部には、ピン部材１０４の先端部１０４ａと係合可能な断面三角形状の凹部１１０，１１０が形成されている。
【００６５】
なお、ホルダー本体４０には、上記実施例と同様に、その基端部中央に円形の穴４８が形成され、両側面には、内外を連通する略矩形状の穴４９，４９が形成されている。また、ホルダー本体４０には、カバー５２が装着される凹溝５０が形成されている。
【００６６】
ホルダー本体４０は、その先端側中空部４４にサムターン軸１２のフランジ１４およびフランジ１４より先端側の軸部の一部を収容した状態で、サムターン軸１２の基端部にサムターン軸１２に対して相対回転可能に設けられる。具体的には、先端側中空部４４の大径円筒部１０８にサムターン軸１２のフランジ１４が配置され、小径円筒部１０９にサムターン軸１２の軸部が配置される。
【００６７】
そして、上記実施例と同様に、サムターン軸１２の取付部１５およびこの取付部１５に設けられたネジ２５は、ホルダー本体４０内に配置され、ネジ２５の頭部２６はホルダー本体４０の基端面４０ａとカバー５２との間に配置される。これにより、ホルダー本体４０はサムターン軸１２に対する軸方向の位置決めがなされ、軸方向の移動が規制される。
【００６８】
本変形例のホルダー本体４０は、上記実施例と同様に、幅方向に二つ割り可能とされており、一対のホルダーピース５４，５４から構成されている。
図１０は、ホルダーピース５４を示す斜視図である。
【００６９】
この一対のホルダーピース５４，５４は、断面略コ字形状であり、その各開放両端部同士を重ね合わせるように突き合せて中空状のホルダー本体４０を構成する。そして、各ホルダーピース５４，５４は、上記実施例と同様にネジ１０２により固定される。ホルダーピース５４の裏面側基端部中央には、各ホルダーピース５４，５４が一体化された際に前記穴４８を構成する半円弧形状の切欠き４８ａが形成されている。
【００７０】
また、ホルダーピース５４の基端側裏面４２ａは、上記実施例と同様に形成されており、先端側裏面４４ａは、段付き半円弧状に表面側へ凹んで形成されている。この先端側裏面４４ａのうち、先端側の小径半円弧状部１０９ａの両端部１１０ａ，１１０ａは、面取りされて傾斜面に形成されている。
【００７１】
このような構成の各ホルダーピース５４，５４が一体化された際、基端側裏面４２ａが前記基端側中空部４２を構成し、先端側裏面４４ａが前記先端側中空部４４を構成する。この際、先端側裏面４４ａの基端側の大径半円弧状部１０８ａが大径円筒部１０８を構成すると共に、小径半円弧状部１０９ａが小径円筒部１０９を構成する。また、先端側中空部４４の小径半円弧状部１０９ａの両端部に形成された傾斜面１１０ａ，１１０ａが、前記凹部１１０を構成する。
【００７２】
なお、上記実施例と同様、ホルダーピース５４の基端側裏面４２ａと先端側裏面４４ａとの境界には、前記段部４６が形成され、ホルダーピース５４の基端部には、図１０において、左上に前記略矩形状の穴４９が形成されている。また、一体化されたホルダーピース５４，５４の外周部には、凹溝５０が形成される。
【００７３】
この中空のホルダー本体４０内には、上記実施例と同様にツマミ６０が、サムターン軸１２の径方向および軸方向に移動可能に設けられる。そして、ツマミ６０およびツマミホルダー３５が取り付けられたサムターン軸１２は、上記実施例と同様、錠ケース２に保持されたサムターン胴８５に回転可能に差し込まれて保持され、扉１００の室内側に取り付けられる。
【００７４】
本変形例のサムターン装置は、初期状態（ツマミ６０とサムターン軸１２との非係合状態）において、サムターン軸１２に設けられたピン部材１０４がツマミホルダー３５の凹部１１０に差し込まれている。すなわち、ピン部材１０４がツマミホルダー３５の凹部１１０と係合しており、この初期状態では、ツマミホルダー３５のサムターン軸１２に対する周方向の位置決めがなされ、ひいては、ツマミホルダー３５と一体回転可能に設けられたツマミ６０の周方向の位置決めがなされる。
そして、本変形例のサムターン装置において施解錠する際には、上記実施例と同様に、ツマミ６０およびツマミホルダー３５が、サムターン軸１２に対して周方向に位置決めされた状態において、まず各ツマミピース６１，６１のボタン部６５，６５を互いに近接する方向に押し込む。そして、この押し込んだ状態で、各ツマミピース６１，６１をさらに先端側へ押し込んで、ツマミ６０の突部７０をサムターン軸１２の凹溝１８に差し込み、この係合させた状態で、ツマミ６０およびツマミホルダー３５を例えば９０度回転操作すればよい。ツマミ６０とサムターン軸１２とは係合していることで、この回転操作によりサムターン軸１２がツマミ６０およびツマミホルダー３５と一体回転し、施解錠することができる。
【００７５】
このように、本変形例においても、ピン部材１０４が、ツマミホルダー３５の凹部１１０と係合することで、ツマミホルダー３５およびツマミ６０のサムターン軸１２に対する周方向の位置決めがなされ、この位置決めがなされた状態において、ツマミ６０の突部７０は、サムターン軸１２の凹溝１８と係合可能な位置に配置されている。
【００７６】
つまり、本変形例においても、上記実施例と同様、施錠状態および解錠状態の両方において、サムターン軸１２に対するツマミ６０の周方向の位置決めが予めなされていることで、施解錠の際、ツマミ６０とサムターン軸１２とを係合させるために、ツマミ６０を周方向に位置合わせする必要がない。よって、施解錠の際には、ボタン部６５をサムターン軸１２の径方向内側へ押し込んで、ツマミ６０を軸方向先端側へ押し込めば、ツマミ６０の突部７０はサムターン軸１２の凹溝１８に自動的に係合される。
【００７７】
また、本変形例のサムターン装置１０も、通常のサムターン装置と同様に、ツマミ６０（ツマミホルダー３５）は、解錠状態では図１１（ａ）に示すように縦向き状態とされ、施錠状態では図１１（ｂ）に示すように横向き状態とされる。すなわち、サムターン軸１２に設けられたピン部材１０４およびツマミホルダー３５に形成された凹部１１０の配置により、ツマミホルダー３５はサムターン軸１２に対して、１８０度に一回周方向の位置決めがなされる。よって、ツマミホルダー３５の長方形状の先端面を、解錠状態では縦向き状態とすると共に、施錠状態では横向き状態となるようにピン部材１０４および凹部１１０をそれぞれ設けることで、位置決めが自動的になされ、施錠状態か解錠状態であるかを常に正しく視認することが可能となる。
【００７８】
さらに、外出時など、室外側から鍵により施解錠する場合、鍵の回転操作によりサムターン軸１２が回転する。この際、ピン部材１０４の先端部１０４ａがツマミホルダー３５の凹部１１０と係合していることで、サムターン軸１２の回転に伴ってツマミホルダー３５およびツマミ６０も一体的に回転する。よって、室外側から鍵により操作した場合でも、室内側からツマミホルダー３５およびツマミ６０の向きにより施錠状態か解錠状態であるかを確認できることにかわりない。
【００７９】
ところで、本変形例のサムターン装置１０は、上記実施例と同様、施解錠の際にツマミ６０とサムターン軸１２とを係合させる必要があり、初期状態ではツマミ６０とサムターン軸１２とは係合しておらず、ツマミ６０とツマミホルダー３５は、サムターン軸１２に対して回転自在とされている。従って、この初期状態において、不正解錠しようと室外側から針金や紐などでツマミ６０およびツマミホルダー３５を回転させても、ツマミ６０およびツマミホルダー３５はサムターン軸１２に対して単に空転するだけで、サムターン軸１２を回転させることができず、不正解錠が防止される。
【００８０】
つまり、図１１（ｂ）の状態から、ツマミピース６１を押し込まずにツマミホルダー３５を回転させて不正解錠使用とした場合、ツマミホルダー３５の回転に伴って、ツマミホルダー３５の凹部１１０に差し込まれたピン部材１０４の先端部１０４ａが凹部１１０を乗り上げて基端側へ押し込まれ、すなわちコイルバネ１０６の付勢力に対抗してサムターン軸１２の径方向内側へ押し込まれる。これにより、図１２に示すように、ツマミホルダー３５は、サムターン軸１２に対して空転し、サムターン軸１２は回転しないので施解錠することができない。
【００８１】
なお、不正解錠されるなどして、図１２に示すように、ツマミホルダー３５がサムターン軸１２に対して回転して、ピン部材１０４の先端部がツマミホルダー３５の凹部１１０から脱出してしまった場合には、ピン部材１０４が凹部１１０に係合するまでツマミホルダー３５を回転させてやれば初期状態に戻すことができる。
【００８２】
このように、上記実施例では、磁石を使用することで、ツマミホルダー３５およびツマミ６０の周方向の位置決めを行っていたが、本変形例のようにピン部材１０４を使用することでも、周方向の位置決めを行うことが可能である。
【００８３】
ところで、本変形例では、ツマミホルダー３５のホルダー本体４０にピン部材１０４が係合する凹部１１０を形成したが、上記実施例のホルダーガイド３６に凹部を形成する構成とすることも可能である。つまり、上記実施例では、ホルダーガイド３６に磁石を収容する穴３８ａを形成したが、その代わりに径方向両端部にピン部材１０４の先端部１０４ａが差し込み可能な凹部を形成すればよい。
【００８４】
また、本変形例では、サムターン軸１２にピン部材１０４を設け、ツマミホルダー３５に凹部１１０を形成したが、図１３に示すように、ツマミホルダー３５にピン部材１０４を設け、サムターン軸１２に凹部１１０を形成する構成としても構わない。つまり、ホルダー本体４０の小径円筒部１０９の径方向両端部に、径方向内側に開口する丸穴状の収容穴１１２，１１２を形成する。そして、この各収容穴１１２にピン部材１０４をコイルバネ１１４により径方向内側へ付勢させた状態で収容する。また、サムターン軸１２の径方向両端部に、ピン部材１０４の先端部１０４ａが差込可能な略円錐形状の凹部１１０，１１０を形成すればよい。
【００８５】
さらに、本変形例では、ピン部材１０４をサムターン軸１２の径方向に付勢する構成としたが、サムターン軸１２の軸方向に付勢する構成として本変形例のように位置決め手段とすることも可能である。
また、本変形例では、ピン部材１０４を短円柱形状としたが、その形状は特に問わず、ブロック形状などであってもよい。さらに、ピン部材１０４の先端部１０４ａおよびその先端部１０４ａが差し込まれる凹部１１０の形状も特に問わず、周方向の位置決めが可能であればその形状は適宜変更可能である。
【００８６】
なお、本発明のサムターン装置は、上記実施例の構成に限らず、適宜変更可能である。例えば、上記実施例では、ツマミ６０を構成するツマミピース６１を二つとしたが、その個数はこれに限らず適宜変更可能であり、例えば一つとしても構わない。
また、上記実施例では、ツマミ６０をサムターン軸１２の径方向内側へ押し込んだのち、軸方向先端側へ押し込む構成とした。しかしながら、ツマミピース６１とツマミホルダー３５の各段部７２，４６の当接を省略して、ツマミ６０を軸方向先端側へ押し込んだのち、径方向内側へ押し込んでツマミ６０とサムターン軸１２とを係合させる構成としても構わない。
【００８７】
さらに、上記実施例では、サムターン軸１２とツマミホルダー３５の両方に磁石２０，２１，３９を設ける構成としたが、どちらか一方に磁石を設け、他方には、磁石と磁着可能な金属板などを設ける構成としてもよい。
また、上記実施例では、ツマミホルダー３５の開口部（穴）４９からツマミ６０のボタン部６５を突出させる構成としたが、ツマミホルダー３５の開口部からツマミ６０が露出して押し込めるようになっていれば、ボタン部６５は突出している必要はなく、ボタン部６５の形状などは特に問わない。
加えて、上記実施例では、サムターン軸１２に被係合部１８を形成し、ツマミ６０に係合部７０を形成したが、その形状などは適宜変更可能である。
【００８８】
また、周方向位置決め手段として、磁石やピン部材を使用する構成について説明したが、サムターン軸１２に対してツマミ６０（ツマミホルダー３５）が周方向に位置決めされる機構であるなら他の構成とすることも可能である。
【図面の簡単な説明】
【００８９】
【図１】本発明のサムターン装置の一実施例を備えた扉錠の縦断面図であり、扉の厚さ方向に沿う面で切断した状態を示している。
【図２】図１のサムターン装置を備えた扉錠が扉に取り付けられた状態を示す斜視図である。
【図３】図１のサムターン装置の主要部を示す正面図である。
【図４】図３の一部断面図であり、（ａ）は縦断面図、（ｂ）は横断面図、（ｃ）は（ａ）のＡ−Ａ断面図、（ｄ）は（ａ）のＢ―Ｂ断面図である。
【図５】サムターン軸を示す部品図であり（ａ）は正面図、（ｂ）は平面図、（ｃ）は左側面図、（ｄ）は右側端面図、（ｅ）は（ｂ）のＣ−Ｃ断面図である。
【図６】ホルダーガイドを示す部品図であり、（ａ）は正面図、（ｂ）は平面図、（ｃ）は左側面図、（ｄ）は（ｃ）のＤ―Ｄ断面図である。
【図７】ホルダーピースを示す斜視図である。
【図８】ツマミピースを示す部品図であり、（ａ）は正面図、（ｂ）は平面図、（ｃ）は左側面図、（ｄ）は右側面図、（ｅ）は背面図、（ｆ）は（ａ）のＥ―Ｅ断面図、（ｇ）は（ａ）のＦ―Ｆ断面図である。
【図９】図１のサムターン装置の変形例を示した主要部の一部断面図であり、（ａ）は縦断面図、（ｂ）は横断面図、（ｃ）は（ａ）のＧ―Ｇ断面図、（ｄ）は（ａ）のＨ―Ｈ断面図である。
【図１０】図９のサムターン装置のホルダーピースを示す斜視図である。
【図１１】図９のサムターン装置のツマミホルダーの周方向位置決め状態を示す概略断面図であり、（ａ）は解錠状態を示しており、（ｂ）は施錠状態を示している。
【図１２】図１１（ｂ）の状態から不正解錠しようとしている状態を示す概略断面図である。
【図１３】図１のサムターン装置のさらに別の変形例を示す一部概略断面図である。
【符号の説明】
【００９０】
１０  サムターン装置
１２  サムターン軸
１８  凹溝
２０，２１  磁石
３２  コイルバネ
３５  ツマミホルダー
３６  ホルダーガイド
３９  磁石
４０  ホルダー本体
４９  穴
５４  ホルダーピース
６０  ツマミ
６１  ツマミピース
６５  ボタン部
７０  突部
７２  段部
８０  コイルバネ
８５  サムターン胴
８８  カバー
１００  扉
１０３  収容穴
１０４  ピン部材
１０６  コイルバネ
１１０  凹部
【図１】
2006152773.tif 000003
【図２】
2006152773.tif 000004
【図３】
2006152773.tif 000005
【図４】
2006152773.tif 000006
【図５】
2006152773.tif 000007
【図６】
2006152773.tif 000008
【図７】
2006152773.tif 000009
【図８】
2006152773.tif 000010
【図９】
2006152773.tif 000011
【図１０】
2006152773.tif 000012
【図１１】
2006152773.tif 000013
【図１２】
2006152773.tif 000014
【図１３】
2006152773.tif 000015